(57)【要約】      （修正有）【課題】仕口部材が溶着された鋼構造物ユニットの横置き作業の際、仕口部材や置き面の保護向上と作業性向上の双方が図れる保護治具を提供する。【解決手段】鋼構造物部材に仕口部材が溶着された鋼構造物ユニット１を置き面６に横置きする際に使用される仕口部材２の保護治具３であって、保護治具３は、中心部にボルト貫通穴を設けた円盤若しくは円柱形状とし、仕口部材２のフランジに設けられた梁接続用ボルト穴２ｇのいずれか一つを使用してボルトナット締めによりフランジに取付け固定されることを特徴とする。【選択図】図１
0003216647.tif 000002
【実用新案登録請求の範囲】
【請求項１】
鋼構造物部材に仕口部材が溶着された鋼構造物ユニットを置き面に横置きする際に使用される仕口部材の保護治具であって、
前記保護治具は、中心部にボルト貫通穴を設けた円盤若しくは円柱形状とし、前記仕口部材のフランジに設けられた梁接続用ボルト穴のいずれか一つを使用してボルトナット締めにより前記フランジに取付け固定されることを特徴とする鋼構造物ユニット仕口部材の保護治具。
【請求項２】
請求項１に記載の保護治具のフランジへの取付け固定は、置き面から最も近傍に位置するフランジのボルト穴を使用して行われることを特徴とする鋼構造物ユニット仕口部材の保護治具。
【請求項３】
請求項１又は２に記載の保護治具のフランジへの取付け固定は、置き面に近接する仕口部材が複数ある場合はそれぞれの仕口部材ごとに行われることを特徴とする鋼構造物ユニット仕口部材の保護治具。
【請求項４】
請求項１乃至３のいずれか１項に記載の保護治具の外径端面は、アール面取りされていることを特徴とする鋼構造物ユニット仕口部材の保護治具。
【考案の詳細な説明】
【技術分野】
【０００１】  本考案は、角形鋼管やＨ形鋼などで構成される鋼構造物ユニットの仕口部材や置き面を保護するための治具に関する。
【背景技術】
【０００２】  鉄骨建造物などに使用される鋼構造物部材は、予め工場や製作ヤードなどで所定ユニット毎に製作されるが、この鋼構造物ユニットには梁材などを継ぎ足すための仕口部材が溶着により取り付けられるものが多い。このような仕口部材付きの鋼構造物ユニットは長尺であるため、通常、製作後又は移動後に工場床面や屋外の地面あるいは建築現場などの置き面にクレーンなどを利用して仮横置きされるが、鋼構造物ユニットの構成上、仕口部材先端には鋼構造物ユニットの全重量が集中的に負荷された状態で置き面に直接接触することになる。このため、鋼構造物ユニットの横置き作業の際、作業者は、仕口部材や置き面を保護するため置き面にりん木と呼ばれる木材や養生部材を作業の都度仕口部材が置き面に接する位置に合わせて置いている。
【先行技術文献】
【特許文献】
【０００３】
【特許文献１】実開平５−９２３４６号  公報
【考案の概要】
【考案が解決しようとする課題】
【０００４】  上述のように、鋼構造物ユニットの横置き作業の際には、作業者は、鋼構造物ユニットの仕口部材や置き面の保護のため、それぞれの仕口部材の位置に合わせてりん木や養生部材を置き面に複数配置する作業に加えて重量物取り扱いのため慎重な作業を余儀なくされ作業性が極端に悪かった。また、仕口部材へのりん木の設置は、高さスペースを要すため、通常、仕口部材のウェブにりん木を２段重ねで行われることが多く、不安定で安全性にも課題があり、さらにウェブに負荷が掛りすぎるためウェブが変形するといった問題もあった。【０００５】  また、特許文献１に記載されているような保護治具も考案されているが、床面や仕口部材の保護向上には効果があるものの、作業性向上の課題解決までには至っていない。【０００６】  本考案は、仕口部材が溶着された鋼構造物ユニットの横置き作業の際、仕口部材や置き面の保護向上と作業性向上の双方が図れる保護治具の提供を目的とする。
【課題を解決するための手段】
【０００７】  上記目的を達成するために、本考案の仕口部材の保護治具は、中心部にボルト貫通穴を設けた円盤若しくは円柱形状とし、前記仕口部材のフランジに設けられた梁接続用ボルト穴のいずれか一つを使用してボルトナット締めにより前記フランジに取付け固定されることを特徴としている。
【考案の効果】
【０００８】  本考案の仕口部材の保護治具は、鋼構造物ユニットの製作後横置きする際に、置き面に近接する仕口部材それぞれのフランジの置き面から最も近傍位置にあるボルト穴を利用して一度取付け固定しておけば、以後の鋼構造物ユニットの横置き作業の際、保護治具が仕口部材と共に移動するため、仕口部材が置き面に接する位置に合わせてりん木や養生部材などを置き面に複数個置く作業が不要となり、また保護治具が円盤若しくは円柱形状でその外径端面をアール面取りとしているため置き面の傾斜やデコボコなどの状況にかかわらず安定的に載置することができる。このため、仕口部材や置き面の保護向上と併せて作業性の大幅な向上を図ることができ、さらに、フランジに置き負荷をかけるようにしたためウェブの変形防止も図ることができる。
【図面の簡単な説明】
【０００９】
【図１】本考案に係る保護治具を取付け固定した鋼構造物ユニットの側面を示す図である。
【図２】図１のＡ−Ａ矢視の拡大図を示す図である。
【図３】本考案に係る保護治具を取付ける前の鋼構造物ユニットの仕口部材の斜視図である。
【図４】従来の仕口部材付き鋼構造物ユニットの置き状態の一例を示す図である。
【考案を実施するための形態】
【００１０】  以下、本考案に係る鋼構造物ユニット仕口部材保護治具の一実施の形態について、図１乃至図４に基づいて説明する。
図１において、１は所定長さに切断された角形鋼管１ａにＨ形鋼の仕口部材２（２ａ〜２ｄ）が溶着された鋼構造物ユニットを示している。仕口部材２は図３に示すようにフランジ２ｅとウェブ２ｆから構成されており、フランジ２ｅの双方には梁接続用ボルト穴２ｇが複数設けられている。また、仕口部材２は鋼構造物ユニット１の両端に複数溶着される場合が多く、鋼構造物ユニット１の製作後他所に仮置きする場合は長尺のため通常置き面６に横置きされる。
なお、本図は簡略化のため、鋼構造物ユニット１又は角形鋼管１ａが置き面６と略平行に横置きされた状態を示している。
【００１１】  従来、鋼構造物ユニット１を横置きする際には、図４に示すようにりん木５を２段重ねで仕口部材２のウェブ２ｆに当てていた。２段重ねにする理由は置き面６との高さスペースを確保しフランジ２ｅが置き面６に接しないようにするためである。
本考案はりん木５の使用に替えて保護治具３を使用することを特徴としているが、図１又は図２に示すように保護治具３を置き面６に近接する仕口部材２ａ、２ｂのフランジ２ｅにそれぞれボルトナット締めで固定するようにしている。これにより、鋼構造物ユニット１の移動や横置き作業の際には、保護治具３は鋼構造物ユニット１と一体であるため、作業時の都度りん木５を仕口部材２ａ、２ｂのフランジ２ｅの位置に合わせて置く必要がなく作業性が大幅に向上する。
【００１２】  保護治具３は、請求項２に記載するように置き面６から最も近傍に位置するフランジ２ｅのボルト穴２ｇを使用してボルトナット締めにより仕口部材２ａ、２ｂのフランジ２ｅに固定すればフランジ２ｅの角部が置き面６に接しない最小限の外径寸法で製作すればよく、製作コストやフランジ２ｅへの取付け作業の軽減が図れる。
【００１３】  保護治具３のボルトナット締めは、図２に示すように、保護治具取付け用ボルトナット４を用いて、ボルトを保護治具３の中央にあるボルト貫通穴３ａとフランジ２ｅのボルト穴２ｇに貫通させて、保護治具３とフランジ２ｅを共締めするようにしている。
【００１４】  保護治具３の外径端面は、請求項４に記載するようにアール面取りを行っておけば、保護治具３が傾斜を伴って置き面６に対して接する場合でも置き面６への集中負荷を防ぐことができるため、置き面６の保護と保護治具３の端面の磨耗防止を行うことができる。なお、アール面取りに代えて端面を全アール形状にしてもよい。
【００１５】  なお、保護治具３の素材は、製作コストと強度を考慮すれば鋼が一般的であるが、炭素系新素材など軽量高強度部材を使用してもよい。また、保護治具３の外周には軟質材を貼り付けて置き面６の保護を行ってもよい。
【符号の説明】
【００１６】  １    鋼構造物ユニット
２    仕口部材
２ａ、２ｂ、２ｃ、２ｄ  仕口部材
２ｅ  フランジ
２ｆ  ウェブ
２ｇ  フランジボルト穴
３    保護治具
３ａ  ボルト貫通穴
４    保護治具取付け用ボルトナット
５    りん木
６    置き面
【図１】
0003216647.tif 000003
【図２】
0003216647.tif 000004
【図３】
0003216647.tif 000005
【図４】
0003216647.tif 000006